(57)【要約】【課題】２枚のスクリーンをパッケージングし脱気することにより、良好な画質を提供することのできる背面投射型表示装置及び透過型スクリーンを提供する。【解決手段】フレネルレンズスクリーンとレンチキュラーレンズスクリーンからなるスクリーン３と、前記スクリーンをパッケージするための袋状のパッケージ材９と、前記パッケージ内部を封しする溶着部１１とを備え、スクリーン３をパッケージし、内部を脱気した後、パッケージを溶着することにより、熱収縮や吸湿によるフレネルレンズスクリーンとレンチキュラーレンズスクリーンの張り合わせ面の浮きを防止し、良好な解像度を維持する透過型スクリーンを提供することができる。【選択図】図５
2009204880.tif 000002
【特許請求の範囲】
【請求項１】
キャビネット内に収納される映像源と、フレネルレンズスクリーンとレンチキュラーレンズスクリーンを張り合わせて成るスクリーンと、この張り合わされたスクリーンを外周部で固定するスクリーン枠とを備え、前記スクリーンは前記キャビネットの前面開口部に前記スクリーン枠を介して取り付けられ、前記映像源からの投射光はミラーに反射し、前記スクリーンに拡大透過映像として投射する背面透過型プロジェクションテレビにおいて、前記フレネルレンズスクリーンとレンチキュラーレンズスクリーンを透明な袋に封入したことを特徴とした背面投射型プロジェクションテレビ。
【請求項２】
前記フレネルレンズスクリーンとレンチキュラーレンズスクリーンを前記透明な袋に封入することにより、前記フレネルレンズスクリーンとレンチキュラーレンズスクリーンを張り合わせた構造としたことを特徴とした請求項１に記載の背面投射型プロジェクションテレビ。
【請求項３】
前記フレネルレンズスクリーンとレンチキュラーレンズスクリーンを前記透明な袋に封入する際に、内部を真空とすることにより、前記フレネルレンズスクリーンとレンチキュラーレンズスクリーンを密着させたことを特徴とした請求項１に記載の背面投射型プロジェクションテレビ。
【請求項４】
前記フレネルレンズスクリーンとレンチキュラーレンズスクリーンを封入する前記透明な袋の表面には、低反射膜を蒸着し、スクリーンへの映り込みを低減したことを特徴とした請求項１に記載の背面投射型プロジェクションテレビ。
【請求項５】
前記フレネルレンズスクリーンとレンチキュラーレンズスクリーンを封入する透明な袋の材質は、ポリエチレン製であることを特徴とする請求項１に記載の背面投射型プロジェクションテレビ。
【請求項６】
前記フレネルレンズスクリーンとレンチキュラーレンズスクリーンの透明な袋への封入が、真空包装により行われることを特徴とする請求項１に記載の背面投射型プロジェクションテレビ。
【発明の詳細な説明】
【技術分野】
【０００１】
本発明は背面投射型プロジェクションテレビに関し、特にスクリーンを構成しているフレネルレンズスクリーンとレンチキュラーレンズスクリーンの張り合わせ構造に関する。
【背景技術】
【０００２】
一般に背面投射型プロジェクションテレビは、キャビネット内に収納される映像源と、フレネルレンズスクリーンとレンチキュラーレンズスクリーンを張り合わせて成るスクリーンと、この張り合わされたスクリーンを外周部で固定するスクリーン枠とを備え、前記スクリーンは前記キャビネットの前面開口部に前記スクリーン枠を介して取り付けられ、前記映像源からの投射光はミラーに反射し、前記スクリーンに拡大透過映像として投射する構成を有している。
【０００３】
このフレネルレンズスクリーンとレンチキュラーレンズスクリーンは、何れも合成樹脂からなる基板にレンズを成形したシートにより構成されており、軽量で成型加工のしやすさで利点がある反面、熱収縮や吸湿で寸法が変化しやすいと言う欠点をもつ、透過型スクリーンの性能への影響として、熱収縮や吸湿によるこの変化は、スクリーンの反りによる画の歪みやフレネルレンズスクリーンとレンチキュラーレンズスクリーンの張り合わせ面に浮きが発生することによる画像の解像度低下をもたらす。
【０００４】
さらにはフレネルレンズスクリーンとレンチキュラーレンズスクリーンの、熱収縮や吸湿による寸法変化の影響で、フレネルレンズスクリーンとレンチキュラーレンズスクリーンが収縮し、フレネルレンズとレンチキュラーレンズ同士が擦れてレンズに変形が生じ、画質劣化につながるおそれもあった。
【０００５】
そこで従来の技術では図１２に示すように透過型スクリーン３はフレネルレンズスクリーン７とレンチキュラーレンズスクリーン８を張り合わせた後、図１３に示すように周辺部を紫外線硬化樹脂１４にて接着させるとともに、図１４に示された吸引管１５にて張り合わせ面の空気層を脱気することにより排除し、密着性を高めることにより、熱収縮や吸湿によるフレネルレンズスクリーンとレンチキュラーレンズスクリーンとの張り合わせ面の浮きや擦れを防止することで、解像度低下及び画質劣化に対応していた。
【特許文献１】特開２００７−２７９２４９号公報
【発明の開示】
【発明が解決しようとする課題】
【０００６】
前記従来の構成では、大掛かりな接着装置が必要であり、昨今の大型インチ化の流れの中で、スクリーン周辺部をすべて紫外線硬化樹脂で固着することは困難である。またフレネルレンズスクリーンとレンチキュラーレンズスクリーンの張り合わせ面の脱気を行うため、脱気用の吸引管をフレネルレンズスクリーンとレンチキュラーレンズスクリーンの間に設けているが、脱気時に吸引管によってフレネルレンズスクリーンとレンチキュラーレンズスクリーンに変形が生じるという課題を有していた。
【０００７】
本発明は、前記従来の課題を解決するもので、熱収縮や吸湿によるフレネルレンズスクリーンとレンチキュラーレンズスクリーンの張り合わせ面の浮きを防止し、良好な解像度を維持する透過型スクリーンを提供することを目的とする。
【課題を解決するための手段】
【０００８】
前記従来の課題を解決するために、本発明の背面投射型表示装置及び透過型スクリーン装置は、キャビネット内に収納される映像源と、フレネルレンズスクリーンとレンチキュラーレンズスクリーンを張り合わせて成るスクリーンと、この張り合わされたスクリーンを外周部で固定するスクリーン枠とを備え、前記スクリーンは前記キャビネットの前面開口部に前記スクリーン枠を介して取り付けられ、前記映像源からの投射光はミラーに反射し、前記スクリーンに拡大透過映像として投射する背面投射型プロジェクションテレビにおいて、前記フレネルレンズスクリーンとレンチキュラーレンズスクリーンを透明な袋に封入することを特徴としたものである。
【０００９】
また、本発明は、前記フレネルレンズスクリーンとレンチキュラーレンズスクリーンを前記透明な袋に封入することにより、前記フレネルレンズスクリーンとレンチキュラーレンズスクリーンを張り合わせた構造としたことを特徴としたものである。
【００１０】
さらに、背面投射型表示装置及び透過型スクリーン装置において、前記フレネルレンズスクリーンとレンチキュラーレンズスクリーンを前記透明な袋に封入する際に、内部を真空とすることにより、前記フレネルレンズスクリーンとレンチキュラーレンズスクリーンを密着させたことを特徴としたものである。
【発明の効果】
【００１１】
本発明の背面投射型表示装置及び透過型スクリーン装置によれば、スクリーンを構成しているフレネルレンズスクリーンとレンチキュラーレンズスクリーンの熱収縮や吸湿により２枚のスクリーンに浮きが発生し解像度を悪化させることを接着剤を使用せず、透明な袋に封入する手段で、この２枚のスクリーンを密着させることで、防止することが可能となる、さらにはフレネルレンズスクリーンとレンチキュラーレンズスクリーンの擦れによる画質劣化を防止することで、良好な画質を容易に提供できる。
【発明を実施するための最良の形態】
【００１２】
以下に、本発明の背面投射型表示装置及び透過型スクリーン装置の実施の形態を図面とともに詳細に説明する。
【００１３】
（実施の形態１）
図１は、本発明の第１の実施の形態における背面投射型プロジェクション装置の構成図を示す斜視図。図１に示すように、この背面投射型プロジェクション装置１はキャビネット２の前面に横長の四辺形状の透過型スクリーン３を有し、この透過型スクリーン３にその背面部側から映像を投射して表示するものである。
【００１４】
図２は、図１の内部構成を示す側面図である。
図２に示すごとく、キャビネット２の内部に映像源４が設置されており、この映像源４より投射された映像光を反射ミラー５で反射して、透過型スクリーン３に投影される。また透過型スクリーン３はスクリーン枠６を介して、キャビネット２に取り付けられる構造としている。
【００１５】
透過型スクリーン３は、光を収束させるフレネルレンズスクリーン７と、光を画面全体に均一に配分してコントラストを付けるレンチキュラーレンズスクリーン８で構成されている。ここでフレネルレンズスクリーン７とレンチキュラーレンズスクリーン８は、何れも厚さが２〜３ｍｍの薄型シートによりなり、図３に示すように、フレネルレンズスクリーン７は、合成樹脂にからなる基板７ａ上にフレネルレンズ７ｂを有し、またレンチキュラーレンズスクリーン８は、合成樹脂にからなる基板８ａ上にレンチキュラーレンズ８ｂを有して構成される。この構成においてフレネルレンズスクリーン７とレンチキュラーレンズスクリーン８のそれぞれの基板７ａ、８ａには、ＭＳ樹脂が好適に用いられる。そしてフレネルレンズスクリーン７は、この基板７ａの一面に紫外線硬化樹脂でフレネルレンズ７ｂを成型して構成され、またレンチキュラーレンズスクリーン８は紫外線硬化樹脂でレンチキュラーレンズ８ｂを成型したＰＥＴフィルム８ｃを基板８ａの一面に貼り付けて構成される。なお、この透過型スクリーンにおいては、レンチキュラーレンズに代えて、フライアイレンズを用いた構成とすることも可能である。
【００１６】
図４は本発明の実施の形態１の背面投射型表示装置及び透過型スクリーン装置の斜視図を示す。図４においてフレネルレンズスクリーンとレンチキュラーレンズスクリーンからなる透過型スクリーン３は、四辺のうち一辺に開口部９ａをもつ袋状のパーケージ材９に挿入される。図５は前記透過型スクリーン３を前記袋状のパッケージ材９に挿入した正面図であり、前記袋状のパッケージ９は、透過型スクリーン３を挿入した後、溶着部１０によってパッケージ開口部９ａを封しする。これによりフレネルレンズスクリーンとレンチキュラーレンズスクリーンを張り合わることができる。
【００１７】
図６は本発明の実施の形態１の背面投射型表示装置及び透過型スクリーン装置のパッケージ材１２の最適形状を示す正面図である。パッケージ材１１は一部突起形状の開口部１１ａを有しており、前記パッケージの表面には低反射膜１１ｂが蒸着されている。前記パッケージの材質は一般的な包装に用いられるポリエチレン製でも良いし、真空包装に適した材質でも良い。
【００１８】
図７は前記パッケージ開口部１１ａの拡大図であり、パッケージ開口部１１ａには、吸引管１２を挿入する。この吸引管１２に真空ポンプを接続し、パッケージ材１１内部の空気を吸引し脱気を行う。そしてパッケージ材１１の内部が真空またはそれに近い状態まで減圧された後は、吸引管１２を取り除くとともに、パッケージ開口部１１ａを溶着することにより、内部の減圧状態を保つ。これによりフレネルレンズスクリーンとレンチキュラーレンズスクリーンの張り合わせ面を密着させることができる。パッケージ開口部１１ａの溶着については図８の溶着１０に示されるようにしても良いし、図９に示される溶着１０に示されるようにしても良い。
【００１９】
（実施の形態２）
図１０は本発明の実施の形態２の背面投射型表示装置及び透過型スクリーン装置の斜視図を示す。図１０においてフレネルレンズスクリーンとレンチキュラーレンズスクリーンからなる透過型スクリーン３は、シート状パーケージ材１３にて包まれる。図１１は前記透過型スクリーン３を前記シート状パッケージ材１３にて包んだ正面図であり、前記シート状パッケージ１３は、透過型スクリーン３を包んだ後、溶着１０によって前記シート状パッケージ１３の三辺を溶着し、透過型スクリーン３を封しする。これによりフレネルレンズスクリーンとレンチキュラーレンズスクリーンを張り合わることができる。
【産業上の利用可能性】
【００２０】
本発明にかかる背面投射型表示装置及び透過型スクリーン装置は、スクリーンを構成しているフレネルレンズスクリーンとレンチキュラーレンズスクリーンの熱収縮や吸湿により２枚のスクリーンに浮きが発生し解像度を悪化させることを接着剤を使用せず、パッケージングを行う手段で、この２枚のスクリーンを密着させることで、防止することが可能となる、さらにはフレネルレンズスクリーンとレンチキュラーレンズスクリーンの擦れによる画質劣化を防止することで、良好な画質を容易に提供できる。本発明は背面投射型プロジェクションテレビに関し、特にスクリーンを構成しているフレネルレンズスクリーンとレンチキュラーレンズスクリーンの張り合わせ構造等として有用である。
【図面の簡単な説明】
【００２１】
【図１】本発明の実施の形態１における背面投射型表示装置及び透過型スクリーン装置の斜視図
【図２】本発明の実施の形態１における背面投射型表示装置及び透過型スクリーン装置の内部構造図
【図３】本発明の実施の形態１における背面投射型表示装置及び透過型スクリーン装置の透過型スクリーンの詳細図
【図４】本発明の実施の形態１における背面投射型表示装置及び透過型スクリーン装置の袋状のパッケージ形状を表す斜視図
【図５】本発明の実施の形態１における背面投射型表示装置及び透過型スクリーン装置の袋状のパッケージ溶着を表す正面図
【図６】本発明の実施の形態１における背面投射型表示装置及び透過型スクリーン装置の脱気部分の形状を表すパッケージ形状の正面図
【図７】本発明の実施の形態１における背面投射型表示装置及び透過型スクリーン装置の脱気を行うための吸引管を挿入した場合の正面図
【図８】本発明の実施の形態１における背面投射型表示装置及び透過型スクリーン装置の脱気を行った後の溶着形状を表す正面図
【図９】本発明の実施の形態１における背面投射型表示装置及び透過型スクリーン装置の脱気を行った後の溶着形状を表す正面図
【図１０】本発明の実施の形態２における背面投射型表示装置及び透過型スクリーン装置のシート状のパッケージ形状を表す斜視図
【図１１】本発明の実施の形態２における背面投射型表示装置及び透過型スクリーン装置のシート状のパッケージ溶着を表す正面図
【図１２】従来の背面投射型表示装置及び透過型スクリーン装置の斜視図
【図１３】従来の背面投射型表示装置及び透過型スクリーン装置の紫外線硬化樹脂の詳細図
【図１４】従来の背面投射型表示装置及び透過型スクリーン装置の脱気を行うための吸引管の挿入図
【符号の説明】
【００２２】
１  背面投射型表示装置
２  キャビネット
３  透過型スクリーン
４  映像源
５  反射ミラー
６  スクリーン枠
７  フレネルレンズスクリーン
７ａ  フレネルレンズスクリーン基板
７ｂ  フレネルレンズシート
８  レンチキュラーレンズスクリーン
８ａ  レンチキュラーレンズスクリーン基板
８ｂ  レンチキュラーレンズシート
８ｃ  レンチキュラーレンズ用ＰＥＴシート
９  袋状パッケージ材
９ａ  袋状パッケージ材開口部
１０  パッケージ材溶着部
１１  脱気形状付加パッケージ
１１ａ  脱気部形状
１１ｂ  低反射膜
１２  吸引管
１３  シート状パッケージ材
１４  スクリーン張り合わせ用紫外線硬化樹脂
１５  吸引管
【図１】
2009204880.tif 000003
【図２】
2009204880.tif 000004
【図３】
2009204880.tif 000005
【図４】
2009204880.tif 000006
【図５】
2009204880.tif 000007
【図６】
2009204880.tif 000008
【図７】
2009204880.tif 000009
【図８】
2009204880.tif 000010
【図９】
2009204880.tif 000011
【図１０】
2009204880.tif 000012
【図１１】
2009204880.tif 000013
【図１２】
2009204880.tif 000014
【図１３】
2009204880.tif 000015
【図１４】
2009204880.tif 000016